(57)【要約】【課題】フィルムソースのフレーム周波数が２４Ｈｚの原プログレッシブ映像データが変換されて得られたフィールド周波数が６０Ｈｚのインターレース映像データをフレーム周波数が６０Ｈｚの出力プログレッシブ映像データに変換する場合に、動画の動きが滑らかに見えるようにする。【解決手段】フレーム周波数が２４Ｈｚの原プログレッシブ映像データを２−３プルダウンによってフィールド周波数が６０Ｈｚのインターレース映像データに変換し、そのインターレース映像データをフレーム周波数が６０Ｈｚのプログレッシブ映像データに変換する。さらに、このプログレッシブ映像データを補間処理して、出力プログレッシブ映像データを得る。２−３プルダウン後のインターレース映像データから直接、補間処理されたプログレッシブ映像データに変換することもできる。【選択図】　　　　図１
2004015700.tif 000002
【特許請求の範囲】
【請求項１】
原プログレッシブ映像データの第１フレーム画像から抽出された、それぞれ１つの奇数フィールド画像および偶数フィールド画像からなる連続する２フィールドと、原プログレッシブ映像データの第２フレーム画像から抽出された、１つまたは２つの奇数フィールド画像および２つまたは１つの偶数フィールド画像からなる連続する３フィールドとを合わせた、連続する５フィールドを一巡周期とするインターレース映像データを、そのフィールド周波数と等しいフレーム周波数の出力プログレッシブ映像データに変換する方法において、
出力プログレッシブ映像データの連続する５フレームを一巡周期として、その１番目のフレームでは、前記原プログレッシブ映像データの第１フレーム画像を当該フレームの画像とし、２番目および３番目のフレームの少なくとも一方では、前記原プログレッシブ映像データの第１フレーム画像と第２フレーム画像を合成した画像を当該フレームの画像とし、４番目のフレームでは、前記原プログレッシブ映像データの第２フレーム画像を当該フレームの画像とし、５番目のフレームでは、前記原プログレッシブ映像データの第２フレーム画像とその直後の第１フレーム画像を合成した画像を当該フレームの画像とするプログレッシブ変換方法。
【請求項２】
原プログレッシブ映像データの第１フレーム画像から抽出された、それぞれ１つの奇数フィールド画像および偶数フィールド画像からなる連続する２フィールドと、原プログレッシブ映像データの第２フレーム画像から抽出された、１つまたは２つの奇数フィールド画像および２つまたは１つの偶数フィールド画像からなる連続する３フィールドとを合わせた、連続する５フィールドを一巡周期とするインターレース映像データを、そのフィールド周波数と等しいフレーム周波数の出力プログレッシブ映像データに変換する装置において、
複数のフレームメモリと、
前記インターレース映像データの各フィールドの前記一巡周期内における順位およびフィールド種別を検出するシーケンス検出手段と、
このシーケンス検出手段の検出結果に基づいて、前記インターレース映像データを前記フレームメモリに書き込み、前記フレームメモリから画像データを読み出すメモリ制御手段と、
前記複数のフレームメモリから読み出された画像データを、ある比率で合成する補間手段と、
前記シーケンス検出手段の検出結果に応じて、いずれかのフレームメモリから読み出された画像データ、または前記補間手段によって得られた画像データを、選択的に取り出す選択手段と、
を備えるプログレッシブ変換装置。
【請求項３】
請求項２記載のプログレッシブ変換装置をプログレッシブ変換部として備える映像データ処理装置。
【請求項４】
原プログレッシブ映像データの第１フレーム画像から抽出された、それぞれ１つの奇数フィールド画像および偶数フィールド画像からなる連続する２フィールドと、原プログレッシブ映像データの第２フレーム画像から抽出された、１つまたは２つの奇数フィールド画像および２つまたは１つの偶数フィールド画像からなる連続する３フィールドとを合わせた、連続する５フィールドを一巡周期とするインターレース映像データの各フィールドの、前記一巡周期内における順位を検出する方法において、
前記インターレース映像データの時系列上で隣接する画素の間の画素値の差分を各画素ごとに検出する工程と、
その検出した差分が所定値に等しい画素の数を１フィールドに渡って積算する工程と、
その積算した画素数が、間に１フィールド置いた同一フィールド種別の２つのフィールドの間で近似するか否かを判別する工程と、
を備えるシーケンス検出方法。
【請求項５】
原プログレッシブ映像データの第１フレーム画像から抽出された、それぞれ１つの奇数フィールド画像および偶数フィールド画像からなる連続する２フィールドと、原プログレッシブ映像データの第２フレーム画像から抽出された、１つまたは２つの奇数フィールド画像および２つまたは１つの偶数フィールド画像からなる連続する３フィールドとを合わせた、連続する５フィールドを一巡周期とするインターレース映像データの各フィールドの、前記一巡周期内における順位を検出する装置において、
前記インターレース映像データの時系列上で隣接する画素の間の画素値の差分を各画素ごとに検出する手段と、
その検出された差分が所定値に等しい画素の数を１フィールドに渡って積算する手段と、
その積算された画素数が、間に１フィールド置いた同一フィールド種別の２つのフィールドの間で近似するか否かを判別する手段と、
を備えるシーケンス検出装置。
【発明の詳細な説明】
【０００１】
【発明の属する技術分野】
この発明は、フィルムソースなどの原プログレッシブ映像データが変換されて得られたインターレース映像データを、原プログレッシブ映像データのフレーム周波数より高いフレーム周波数の出力プログレッシブ映像データに変換する方法および装置、および、そのプログレッシブ変換などに用いられる、インターレース映像データのシーケンスを検出する方法および装置に関する。
【０００２】
【従来の技術】
フィルムに記録された映画の画像を、ＤＶＤ（Ｄｉｇｉｔａｌ　Ｖｅｒｓａｔｉｌｅ　Ｄｉｓｃ）などの記録媒体に記録し、またはデジタル放送などによって伝送する場合、毎秒２４コマの映画の画像を、フレーム周波数が２４Ｈｚ、１フレームのライン（走査線）数が、例えば５２５本の、プログレッシブ映像データとして、記録媒体に記録し、または伝送する。
【０００３】
図８（Ａ）の「フィルムソースの原プログレッシブ映像データ」は、これを模式的に示したもので、画像Ａ，Ｂ，Ｃ，Ｄは、それぞれ１フレーム（ひとコマ）の画像を示す。
【０００４】
ＤＶＤプレーヤなどの再生装置や、デジタル放送受信機などの受信装置では、テレシネ変換装置や、ＭＰＥＧデコーダなどにおいて、いわゆる２−３プルダウンによって、このフレーム周波数が２４Ｈｚの原プログレッシブ映像データを、フィールド周波数が６０Ｈｚのインターレース映像データに変換する。
【０００５】
具体的に、図８（Ａ）に示すように、原プログレッシブ映像データのフレーム画像Ａの、奇数ラインを奇数フィールド画像Ａｏとして、偶数ラインを偶数フィールド画像Ａｅとして、順次抽出し、原プログレッシブ映像データのフレーム画像Ｂの、奇数ラインを奇数フィールド画像Ｂｏとして、偶数ラインを偶数フィールド画像Ｂｅとして、さらに再度、奇数ラインを奇数フィールド画像Ｂｏとして、順次抽出し、原プログレッシブ映像データのフレーム画像Ｃの、偶数ラインを偶数フィールド画像Ｃｅとして、奇数ラインを奇数フィールド画像Ｃｏとして、順次抽出し、原プログレッシブ映像データのフレーム画像Ｄの、偶数ラインを偶数フィールド画像Ｄｅとして、奇数ラインを奇数フィールド画像Ｄｏとして、さらに再度、偶数ラインを偶数フィールド画像Ｄｅとして、順次抽出する。
【０００６】
さらに、この映像をプログレッシブ表示する場合には、上記のように得られたフィールド周波数が６０Ｈｚのインターレース映像データを、フレーム周波数が６０Ｈｚのプログレッシブ映像データに変換するが、その逆変換の方法としては、２つの方法が考えられている。
【０００７】
第１の方法では、図８（Ｂ）に示すように、インターレース映像データの同一のフィールド画像を２度に渡って読み取り、インターレース映像データの隣接する奇数フィールド画像と偶数フィールド画像を単純に合成して、出力プログレッシブ映像データのフレーム画像を生成する。
【０００８】
しかし、この方法では、出力プログレッシブ映像データ中に、フレーム画像ＡＢ，ＢＣ，ＣＤとして示すように、原プログレッシブ映像データの異なる（隣接する）フレーム画像を合成したフレーム画像が一定周期で出現し、シーンチェンジ時や、動きの激しいシーンでは、絵柄の全く異なるフレーム画像が同一フレームに合成されるため、出力プログレッシブ映像データは視聴感の劣る映像となってしまう。そのため、この方法は現在、ほとんど用いられていない。
【０００９】
逆変換の第２の方法では、図８（Ｃ）に示すように、インターレース映像データの奇数フィールド画像Ａｏと偶数フィールド画像Ａｅを合成して、出力プログレッシブ映像データのフレーム画像Ａを２フレームに渡って生成し、インターレース映像データの奇数フィールド画像Ｂｏと偶数フィールド画像Ｂｅを合成して、出力プログレッシブ映像データのフレーム画像Ｂを３フレームに渡って生成する、という操作を繰り返す。
【００１０】
現在市販されているＤＶＤプレーヤなどの再生装置、またはプロジェクタやプラズマディスプレイパネルなどのプログレッシブ変換装置では、この方法が用いられている。
【００１１】
この方法のプログレッシブ変換（逆変換）を行うには、２−３プルダウン後のインターレース映像データのシーケンスを検出する必要がある。
【００１２】
図９（Ａ）に示すように、２−３プルダウン後のインターレース映像データは、ある連続する５フィールドの期間Ｔｏ内では、１，３，５番目のフィールドｆ１，ｆ３，ｆ５が奇数フィールド、２，４番目のフィールドｆ２，ｆ４が偶数フィールドとなり、これに続く連続する５フィールドの期間Ｔｅ内では、１，３，５番目のフィールドｆ１，ｆ３，ｆ５が偶数フィールド、２，４番目のフィールドｆ２，ｆ４が奇数フィールドとなるが、期間Ｔｏ，Ｔｅのいずれにおいても、フィールドｆ３とフィールドｆ５が同一内容および同一フィールド種別となり、期間ＴｏおよびＴｅを一巡周期とする。
【００１３】
また、２−３プルダウン後のインターレース映像データには、奇数フィールドと偶数フィールドを区別するフィールド識別情報が挿入される。
【００１４】
この場合のシーケンス検出は、この２−３プルダウン後のインターレース映像データの、その時々のフィールドが、一巡周期ＴｏおよびＴｅのいずれに属し、かつフィールドｆ１〜ｆ５のいずれであるかを、すなわち、一巡周期Ｔｏ内のフィールドｆ１から一巡周期Ｔｅ内のフィールドｆ５までの１０フィールド中のいずれであるかを、判別するものである。
【００１５】
そして、従来のシーケンス検出方法では、インターレース映像データの各フィールドにつき、画素値のヒストグラムを生成して、間に１フィールド置いた同一フィールド種別の２つのフィールドの間で、両者のヒストグラムが近似するか否かを判別し、両者のヒストグラムが近似するとき、その２つのフィールドは、上記のフィールドｆ３およびｆ５であると判断する。
【００１６】
画素値としては、図９（Ｂ）に示すような輝度データＹを用いる。ただし、図９（Ｂ）は、輝度データＹを、水平同期信号ＨＳとともに、便宜的にアナログ波形で示したものである。輝度データＹが８ビット長の場合、画素値（輝度データ値）のヒストグラムを生成するに当たっては、検出レベルとして、例えば、１０ｈ（１０進では１６）からＥＢｈ（１０進では２３５）までの２２０レベルを用いる。
【００１７】
図１０は、従来のシーケンス検出装置を示し、インターレース映像データ中の輝度データＹが、２２０レベル分の一致検出回路６１で、１０ｈ〜ＥＢｈの基準値と比較されて、輝度データＹが対応する値であるとき、対応する一致検出回路６１から対応するカウンタ６２に、カウントイネーブル信号が供給される。
【００１８】
カウンタ６２は、カウントイネーブル信号が供給されることによって、画素クロックをカウントアップする。カウンタ６２の出力値は、垂直同期ラッチ信号によって、対応するラッチ回路６３にラッチされ、カウンタ６２は、垂直同期ラッチ信号の直後の垂直同期リセット信号によってリセットされる。
【００１９】
したがって、ラッチ回路６３全体として、１フィールド分の画素値（輝度データ値）のヒストグラムが生成される。
【００２０】
ラッチ回路６３の出力値は、次の垂直同期ラッチ信号によって、次段のラッチ回路６４にラッチされ、さらに、ラッチ回路６４の出力値は、次の垂直同期ラッチ信号によって、次段のラッチ回路６５にラッチされる。
【００２１】
そして、それぞれの減算回路６６で、対応する１段目のラッチ回路６３の出力値から、対応する３段目のラッチ回路６５の出力値が減算され、それぞれの減算回路６６の出力値が、加算回路６７で加算され、加算回路６７の出力値Ｄａが、比較回路６８で、閾値Ｄｔｈと比較されて、比較回路６８の出力として、Ｄａ≦Ｄｔｈのときには高レベルとなり、Ｄａ＞Ｄｔｈのときには低レベルとなる検出信号Ｓｄｔが得られる。
【００２２】
Ｄａ≦Ｄｔｈとなり、検出信号Ｓｄｔが高レベルとなるのは、ラッチ回路６３全体に展開されている、あるフィールドｆｎの画素値のヒストグラムと、ラッチ回路６５全体に展開されている、そのフィールドｆｎに対して２フィールド前のフィールドｆ（ｎ−２）の画素値のヒストグラムとが近似している場合であり、フィールドｆｎが上記のフィールドｆ５、フィールドｆ（ｎ−２）が上記のフィールドｆ３である場合である。
【００２３】
したがって、検出信号Ｓｄｔが高レベルとなった時からの時間差（フィールド数）、および上記のフィールド識別情報によって、２−３プルダウン後のインターレース映像データの、その時々のフィールドが、上記の一巡周期ＴｏおよびＴｅのいずれに属し、かつフィールドｆ１〜ｆ５のいずれであるかを、すなわち、一巡周期Ｔｏ内のフィールドｆ１から一巡周期Ｔｅ内のフィールドｆ５までの１０フィールド中のいずれであるかを、判別することができる。
【００２４】
【発明が解決しようとする課題】
しかしながら、図８（Ｃ）に示した方法による、インターレース映像データからプログレッシブ映像データへの逆変換では、逆変換後の出力プログレッシブ映像データにおいて、同一のフレーム画像Ａ（Ｃ，…）が２フレーム連続する場合と、同一のフレーム画像Ｂ（Ｄ，…）が３フレーム連続する場合とが、交互に続くため、フィルムソースではないビデオソースのプログレッシブ映像データと比較すると、動画の動きが滑らかに見えずに、ガタガタした動きに見えてしまう。この現象（ガタガタ感）は、特に、画像中の対象物が比較的ゆっくり動くとき、その対象物につき顕著に現れる。
【００２５】
そこで、この発明は、一つに、動画の動きが滑らかに見えるようにプログレッシブ変換することを目的とする。
【００２６】
また、上述した従来のシーケンス検出方法では、２−３プルダウン後のインターレース映像データの各フィールドにつき、画素値のヒストグラムを生成して、間に１フィールド置いた同一フィールド種別の２つのフィールドの間で、両者のヒストグラムが近似するか否かを判別するので、シーケンス検出装置として、図１０に示したように、それぞれ２２０レベル分というような多数の、一致検出回路６１、カウンタ６２、１段目のラッチ回路６３、２段目のラッチ回路６４および３段目のラッチ回路６５を必要とし、回路規模が著しく大きくなる。
【００２７】
そのため、一部の検出レベルを省略して、検出レベル数を削減し、または検出レベルをゾーン化して、画素値をゾーンごとに検出することも考えられるが、そうすると、有効画面領域全体が黒、白、グレーなどで輝度変化のない場合などには、シーケンスの検出が難しくなる。
【００２８】
そこで、この発明は、一つに、小規模の回路によって確実に、原プログレッシブ映像データが変換されて得られたインターレース映像データのシーケンスを検出できるようにすることを目的とする。
【００２９】
【課題を解決するための手段】
この発明のプログレッシブ変換方法は、
原プログレッシブ映像データの第１フレーム画像から抽出された、それぞれ１つの奇数フィールド画像および偶数フィールド画像からなる連続する２フィールドと、原プログレッシブ映像データの第２フレーム画像から抽出された、１つまたは２つの奇数フィールド画像および２つまたは１つの偶数フィールド画像からなる連続する３フィールドとを合わせた、連続する５フィールドを一巡周期とするインターレース映像データを、そのフィールド周波数と等しいフレーム周波数の出力プログレッシブ映像データに変換する方法において、
出力プログレッシブ映像データの連続する５フレームを一巡周期として、その１番目のフレームでは、前記原プログレッシブ映像データの第１フレーム画像を当該フレームの画像とし、２番目および３番目のフレームの少なくとも一方では、前記原プログレッシブ映像データの第１フレーム画像と第２フレーム画像を合成した画像を当該フレームの画像とし、４番目のフレームでは、前記原プログレッシブ映像データの第２フレーム画像を当該フレームの画像とし、５番目のフレームでは、前記原プログレッシブ映像データの第２フレーム画像とその直後の第１フレーム画像を合成した画像を当該フレームの画像とする。
【００３０】
この発明のシーケンス検出方法は、
原プログレッシブ映像データの第１フレーム画像から抽出された、それぞれ１つの奇数フィールド画像および偶数フィールド画像からなる連続する２フィールドと、原プログレッシブ映像データの第２フレーム画像から抽出された、１つまたは２つの奇数フィールド画像および２つまたは１つの偶数フィールド画像からなる連続する３フィールドとを合わせた、連続する５フィールドを一巡周期とするインターレース映像データの各フィールドの、前記一巡周期内における順位を検出する方法において、
前記インターレース映像データの時系列上で隣接する画素の間の画素値の差分を各画素ごとに検出する工程と、
その検出した差分が所定値に等しい画素の数を１フィールドに渡って積算する工程と、
その積算した画素数が、間に１フィールド置いた同一フィールド種別の２つのフィールドの間で近似するか否かを判別する工程と、
を備えるものとする。
【００３１】
上記のプログレッシブ変換方法では、変換後の出力プログレッシブ映像データは、動画の動きが滑らかに見えるものとなる。
【００３２】
上記のシーケンス検出方法では、小規模の回路によって確実に、原プログレッシブ映像データが変換されて得られたインターレース映像データのシーケンスを検出することができる。
【００３３】
【発明の実施の形態】
〔プログレッシブ変換方法の実施形態：図１および図２〕
図１は、この発明のプログレッシブ変換方法の一実施形態を示す。
【００３４】
同図の「フィルムソースの原プログレッシブ映像データ」は、フィルムに記録された映画の画像の、ＤＶＤなどの記録媒体に記録された、またはデジタル放送などによって伝送された、フレーム周波数が２４Ｈｚ、１フレームのライン（走査線）数が、例えば５２５本の、プログレッシブ映像データを模式的に示したもので、画像Ａ，Ｂ，Ｃ，Ｄ，Ｅは、それぞれ１フレーム（ひとコマ）の画像を示す。
【００３５】
このフレーム周波数が２４Ｈｚの原プログレッシブ映像データを、２−３プルダウンによって、フィールド周波数が６０Ｈｚのインターレース映像データに変換する。その方法は、図８（Ａ）に示して上述したとおりで、インターレース映像データ中の画像Ａｏ，Ｂｏ，Ｃｏ，Ｄｏ，Ｅｏは、それぞれ原プログレッシブ映像データのフレーム画像Ａ，Ｂ，Ｃ，Ｄ，Ｅから抽出された奇数フィールド画像を示し、インターレース映像データ中の画像Ａｅ，Ｂｅ，Ｃｅ，Ｄｅは、それぞれ原プログレッシブ映像データのフレーム画像Ａ，Ｂ，Ｃ，Ｄから抽出された偶数フィールド画像を示す。
【００３６】
２−３プルダウン後のインターレース映像データには、奇数フィールドと偶数フィールドを区別するフィールド識別情報が挿入される。
【００３７】
このフィールド周波数が６０Ｈｚのインターレース映像データを、図８（Ｃ）に示した方法によって、フレーム周波数が６０Ｈｚのプログレッシブ映像データに変換する。具体的に、インターレース映像データの奇数フィールド画像Ａｏと偶数フィールド画像Ａｅを合成して、逆変換後のプログレッシブ映像データのフレーム画像Ａを２フレームに渡って生成し、インターレース映像データの奇数フィールド画像Ｂｏと偶数フィールド画像Ｂｅを合成して、逆変換後のプログレッシブ映像データのフレーム画像Ｂを３フレームに渡って生成する、という操作を繰り返す。
【００３８】
さらに、この発明では、この逆変換後のフレーム周波数が６０Ｈｚのプログレッシブ映像データを、補間処理することによって、フレーム周波数が６０Ｈｚの出力プログレッシブ映像データを得る。補間方法としては、以下の第１〜第５の方法などを用いる。
【００３９】
第１の方法では、映像データＳａとして示すように、出力プログレッシブ映像データの第１フレームでは、逆変換後のプログレッシブ映像データの第１フレームの画像Ａを、そのまま当該フレームの画像とし、出力プログレッシブ映像データの第２フレームおよび第３フレームでは、それぞれ、逆変換後のプログレッシブ映像データの第２フレームの画像Ａと第３フレームの画像Ｂを（１／２）：（１／２）の比で合成した画像を、当該フレームの画像とし、出力プログレッシブ映像データの第４フレームでは、逆変換後のプログレッシブ映像データの第４フレームの画像Ｂを、そのまま当該フレームの画像とし、出力プログレッシブ映像データの第５フレームでは、逆変換後のプログレッシブ映像データの第５フレームの画像Ｂと第６フレームの画像Ｃを（１／２）：（１／２）の比で合成した画像を、当該フレームの画像とし、以下、５フレームを一巡周期として、同様の補間処理を繰り返す。
【００４０】
第２の方法では、映像データＳｂとして示すように、出力プログレッシブ映像データの第１フレームおよび第２フレームでは、それぞれ、逆変換後のプログレッシブ映像データの第１フレームおよび第２フレームの画像Ａを、そのまま当該フレームの画像とし、出力プログレッシブ映像データの第３フレームでは、逆変換後のプログレッシブ映像データの第２フレームの画像Ａと第３フレームの画像Ｂを（１／２）：（１／２）の比で合成した画像を、当該フレームの画像とし、出力プログレッシブ映像データの第４フレームでは、逆変換後のプログレッシブ映像データの第４フレームの画像Ｂを、そのまま当該フレームの画像とし、出力プログレッシブ映像データの第５フレームでは、逆変換後のプログレッシブ映像データの第５フレームの画像Ｂと第６フレームの画像Ｃを（１／２）：（１／２）の比で合成した画像を、当該フレームの画像とし、以下、５フレームを一巡周期として、同様の補間処理を繰り返す。
【００４１】
第３の方法では、映像データＳｃとして示すように、出力プログレッシブ映像データの第１フレームでは、逆変換後のプログレッシブ映像データの第１フレームの画像Ａを、そのまま当該フレームの画像とし、出力プログレッシブ映像データの第２フレームでは、逆変換後のプログレッシブ映像データの第２フレームの画像Ａと第３フレームの画像Ｂを（１／２）：（１／２）の比で合成した画像を、当該フレームの画像とし、出力プログレッシブ映像データの第３フレームおよび第４フレームでは、それぞれ、逆変換後のプログレッシブ映像データの第３フレームおよび第４フレームの画像Ｂを、そのまま当該フレームの画像とし、出力プログレッシブ映像データの第５フレームでは、逆変換後のプログレッシブ映像データの第５フレームの画像Ｂと第６フレームの画像Ｃを（１／２）：（１／２）の比で合成した画像を、当該フレームの画像とし、以下、５フレームを一巡周期として、同様の補間処理を繰り返す。
【００４２】
第４の方法では、映像データＳｄとして示すように、出力プログレッシブ映像データの第１フレームでは、逆変換後のプログレッシブ映像データの第１フレームの画像Ａを、そのまま当該フレームの画像とし、出力プログレッシブ映像データの第２フレームでは、逆変換後のプログレッシブ映像データの第２フレームの画像Ａと第３フレームの画像Ｂを（１／２）：（１／２）の比で合成した画像を、当該フレームの画像とし、出力プログレッシブ映像データの第３フレームでは、逆変換後のプログレッシブ映像データの第２フレームの画像Ａと第３フレームの画像Ｂを（１／４）：（３／４）の比で合成した画像を、当該フレームの画像とし、出力プログレッシブ映像データの第４フレームでは、逆変換後のプログレッシブ映像データの第４フレームの画像Ｂを、そのまま当該フレームの画像とし、出力プログレッシブ映像データの第５フレームでは、逆変換後のプログレッシブ映像データの第５フレームの画像Ｂと第６フレームの画像Ｃを（１／２）：（１／２）の比で合成した画像を、当該フレームの画像とし、以下、５フレームを一巡周期として、同様の補間処理を繰り返す。
【００４３】
第５の方法では、映像データＳｅとして示すように、出力プログレッシブ映像データの第１フレームでは、逆変換後のプログレッシブ映像データの第１フレームの画像Ａを、そのまま当該フレームの画像とし、出力プログレッシブ映像データの第２フレームでは、逆変換後のプログレッシブ映像データの第２フレームの画像Ａと第３フレームの画像Ｂを（２／３）：（１／３）の比で合成した画像を、当該フレームの画像とし、出力プログレッシブ映像データの第３フレームでは、逆変換後のプログレッシブ映像データの第２フレームの画像Ａと第３フレームの画像Ｂを（１／３）：（２／３）の比で合成した画像を、当該フレームの画像とし、出力プログレッシブ映像データの第４フレームでは、逆変換後のプログレッシブ映像データの第４フレームの画像Ｂを、そのまま当該フレームの画像とし、出力プログレッシブ映像データの第５フレームでは、逆変換後のプログレッシブ映像データの第５フレームの画像Ｂと第６フレームの画像Ｃを（１／２）：（１／２）の比で合成した画像を、当該フレームの画像とし、以下、５フレームを一巡周期として、同様の補間処理を繰り返す。
【００４４】
図２に、第１および第５の方法につき、補間処理後の出力プログレッシブ映像データのフレーム順位に対する画像変化の様子を示す。（Ａ＋Ｂ）／２で表される画像は、画像Ａと画像Ｂのちょうど中間の画像であり、（２Ａ＋Ｂ）／３で表される画像は、（Ａ＋Ｂ）／２で表される画像より画像Ａに近く、（Ａ＋２Ｂ）／３で表される画像は、（Ａ＋Ｂ）／２で表される画像より画像Ｂに近く、（Ａ＋３Ｂ）／４で表される画像は、（Ａ＋２Ｂ）／３で表される画像より画像Ｂに近い。
【００４５】
破線の折れ線Ｌａは、第１の方法による出力プログレッシブ映像データＳａの画像変化の様子を示し、実線の折れ線Ｌｅは、第５の方法による出力プログレッシブ映像データＳｅの画像変化の様子を示す。
【００４６】
基本的には、いずれの補間方法でもよい。ただし、５フレームの一巡周期内において、第１の方法では２，３番目のフレームで、第２の方法では１，２番目のフレームで、第３の方法では３，４番目のフレームで、それぞれ同一内容のフレーム画像が２フレーム連続するが、第１、第２、第３の方法の間では、第３の方法が、逆変換後のプログレッシブ映像データの同一画像が連続する３フレーム中の２フレームのフレーム画像がそのまま残る点で、望ましい。
【００４７】
さらに、第４および第５の方法では、５フレームの一巡周期中の、前半の２フレームおよび後半の３フレームで、それぞれ１フレームずつ、逆変換後のプログレッシブ映像データのフレーム画像がそのまま抽出され、２番目のフレームでは、逆変換後のプログレッシブ映像データの２フレームセットのフレーム画像と３フレームセットのフレーム画像とが合成されたフレーム画像が得られ、３番目のフレームでは、逆変換後のプログレッシブ映像データの２フレームセットのフレーム画像と３フレームセットのフレーム画像とが、２番目のフレームより３フレームセットのフレーム画像の比重が高い比率で合成されたフレーム画像が得られるので、第４および第５の方法は、第３の方法より望ましい。
【００４８】
第４および第５の方法の間では、動画の動きが、より滑らかに見えるようになる点では、第５の方法の方が第４の方法より望ましい。
【００４９】
ただし、補間方法および補間係数（合成比率）は、あらかじめ一律に定めず、適応化プログレッシブ変換方法（適応化補間方法）として後述するように、画像の動きに応じて選択されるようにしてもよい。
【００５０】
なお、上述したように、２−３プルダウン後のインターレース映像データをプログレッシブ映像データに逆変換した上で、その逆変換後のプログレッシブ映像データを補間処理して出力プログレッシブ映像データを得る代わりに、後述のように、２−３プルダウン後のインターレース映像データをプログレッシブ映像データに逆変換する過程で、補間処理を行って、プログレッシブ変換され、かつ補間処理された出力プログレッシブ映像データを得るように構成することもできる。
【００５１】
〔システムの実施形態：図３〕
図３は、上述したような、この発明のプログレッシブ変換方法を実行するシステムの一例を示す。
【００５２】
この例は、ＤＶＤ再生装置の場合で、ディスク（ＤＶＤ）１には、上述したフィルムソースのフレーム周波数が２４Ｈｚの原プログレッシブ映像データが記録されている。具体的には、ＭＰＥＧ２方式で圧縮符号化された映像データおよび音声データが多重化され、変調されて、ディスク１に記録されている。
【００５３】
ディスク１は、駆動モータ２によって回転駆動され、ディスク１からは、光ピックアップ３によってデータが読み取られる。その読み取られたデータは、ＲＦアンプ４を通じて取り出され、復調部５で復調され、ＥＣＣ（Ｅｒｒｏｒ　Ｃｏｒｒｅｃｔｉｎｇ　Ｃｏｄｅ）デコーダ６で誤り訂正された後、バッファ７に書き込まれ、バッファ７から連続的に読み出される。
【００５４】
バッファ７の出力の多重化データは、デマルチプレクサ８で、圧縮符号化された映像データと圧縮符号化された音声データとに分離される。その圧縮符号化された映像データは、映像デコーダ１１で伸長復号されて、映像デコーダ１１からフィルムソースのフレーム周波数が２４Ｈｚの原プログレッシブ映像データが出力される。
【００５５】
そのフレーム周波数が２４Ｈｚの原プログレッシブ映像データは、２−３プルダウン変換部１２で、図１に示したような２−３プルダウンによって、フィールド周波数が６０Ｈｚのインターレース映像データに変換され、さらに、そのインターレース映像データが、プログレッシブ変換部１３で、後述のように、図１の映像データＳａ，Ｓｂ，Ｓｃ，ＳｄまたはＳｅで示したようなフレーム周波数が６０Ｈｚの補間処理された出力プログレッシブ映像データに変換される。
【００５６】
その変換後の出力プログレッシブ映像データは、デジタル映像データのまま、デジタル／アナログ変換器を備えるモニタ表示装置に出力され、または当該ＤＶＤ再生装置内でアナログ映像信号に変換されて、モニタ表示装置に出力される。
【００５７】
デマルチプレクサ８で分離された圧縮符号化された音声データは、音声デコーダ１４で伸長復号される。伸長復号後の音声データは、デジタル音声データのまま、デジタル／アナログ変換器を備える音声出力装置に出力され、または当該ＤＶＤ再生装置内でアナログ音声信号に変換されて、音声出力装置に出力される。
【００５８】
コントローラ９は、ＣＰＵおよびＲＯＭやＲＡＭなどのメモリを有し、ＤＶＤ再生装置の各部を制御するものである。
【００５９】
〔プログレッシブ変換装置の実施形態：図４〕
図４は、この発明のプログレッシブ変換装置の一実施形態を示し、図３に示したプログレッシブ変換部１３として構成される場合である。
【００６０】
このプログレッシブ変換部１３では、図３に示した２−３プルダウン変換部１２からの２−３プルダウン後のフィールド周波数が６０Ｈｚのインターレース映像データＶｉｎが、フレーム周波数が６０Ｈｚのプログレッシブ映像データに変換される過程で、補間処理が実行されて、プログレッシブ変換され、かつ補間処理された出力プログレッシブ映像データＶｏｕｔが得られる。
【００６１】
インターレース映像データＶｉｎは、例えば、ＩＴＵ−Ｒ勧告ＢＴ．６５６に準拠した、それぞれ８ビット長の輝度データＹおよび色差データＣｂ，Ｃｒに、水平同期信号、垂直同期信号およびフィールド識別情報が付加されたものである。
【００６２】
このインターレース映像データＶｉｎは、フレームメモリ２１および２２に供給され、後述のように、フレームメモリ２１および２２に、それぞれフレーム画像の映像データが書き込まれ、フレームメモリ２１および２２から、それぞれフレーム画像の映像データが読み出される。
【００６３】
フレームメモリ２１および２２からのフレーム画像の映像データは、３次元補間回路２３で合成され、マルチプレクサ２４で、フレームメモリ２１もしくは２２、または３次元補間回路２３からのフレーム画像の映像データが選択される。
【００６４】
インターレース映像データＶｉｎは、同期信号検出回路３１に供給され、同期信号検出回路３１で、水平同期信号、垂直同期信号およびフィールド識別情報が抽出される。
【００６５】
また、インターレース映像データＶｉｎ中の輝度データＹ、および同期信号検出回路３１で抽出された水平同期信号、垂直同期信号およびフィールド識別情報が、シーケンス検出部３２に供給され、シーケンス検出部３２で、インターレース映像データＶｉｎのシーケンスが検出される。
【００６６】
図５（Ａ）に示すように、インターレース映像データＶｉｎは、ある連続する５フィールドの期間Ｔｏ内では、１，３，５番目のフィールドｆ１，ｆ３，ｆ５が奇数フィールド、２，４番目のフィールドｆ２，ｆ４が偶数フィールドとなり、これに続く連続する５フィールドの期間Ｔｅ内では、１，３，５番目のフィールドｆ１，ｆ３，ｆ５が偶数フィールド、２，４番目のフィールドｆ２，ｆ４が奇数フィールドとなるが、期間Ｔｏ，Ｔｅのいずれにおいても、フィールドｆ３とフィールドｆ５が同一内容および同一フィールド種別となり、期間ＴｏおよびＴｅを一巡周期とする。
【００６７】
具体的な方法は後述するが、シーケンス検出部３２では、このインターレース映像データＶｉｎの、その時々のフィールドが、一巡周期ＴｏおよびＴｅのいずれに属し、かつフィールドｆ１〜ｆ５のいずれであるかが、すなわち、一巡周期Ｔｏ内のフィールドｆ１から一巡周期Ｔｅ内のフィールドｆ５までの１０フィールド中のいずれであるかが、判別される。
【００６８】
このシーケンス検出部３２の検出結果、および同期信号検出回路３１で抽出された水平同期信号、垂直同期信号およびフィールド識別情報が、メモリコントローラ３３に供給され、メモリコントローラ３３によって、フレームメモリ２１および２２のアドレスおよび書き込み／読み出しが制御される。
【００６９】
さらに、シーケンス検出部３２の検出結果に応じて、３次元補間回路２３におけるフレームメモリ２１および２２からのフレーム画像の映像データの合成比率（補間係数）、およびマルチプレクサ２４での選択が制御される。
【００７０】
また、同期信号検出回路３１で抽出された水平同期信号、垂直同期信号およびフィールド識別情報が、プログレッシブ用の同期信号発生回路３４に供給され、同期信号発生回路３４から、プログレッシブ同期信号ＳＹが得られる。
【００７１】
上記の構成のプログレッシブ変換部１３では、図５（Ａ）に示すようなインターレース映像データＶｉｎの期間Ｔｏ内のフィールドｆ１，ｆ２の映像データがフレームメモリ２１に書き込まれ、期間Ｔｏ内のフィールドｆ３，ｆ４の映像データがフレームメモリ２２に書き込まれ、期間Ｔｏ内のフィールドｆ５および期間Ｔｅ内のフィールドｆ１の映像データがフレームメモリ２１に書き込まれ、期間Ｔｅ内のフィールドｆ２，ｆ３の映像データがフレームメモリ２２に書き込まれ、期間Ｔｅ内のフィールドｆ４，ｆ５の映像データがフレームメモリ２１に書き込まれる、というように、インターレース映像データＶｉｎの隣接する奇数フィールド画像および偶数フィールド画像からなるフレーム画像が順次、フレームメモリ２１，２２上に交互に展開される。
【００７２】
その過程で、フレームメモリ２１および２２から、これに展開されたフレーム画像の映像データが読み出され、マルチプレクサ２４から、出力プログレッシブ映像データＶｏｕｔとして、図１に示したような補間処理後の出力プログレッシブ映像データＳａ，Ｓｂ，Ｓｃ，ＳｄまたはＳｅが得られる。
【００７３】
〔シーケンス検出の方法および装置の実施形態：図５および図６〕
上述したように、図４に示したシーケンス検出部３２では、２−３プルダウン後のインターレース映像データＶｉｎのシーケンスが検出される。
【００７４】
この発明では、そのシーケンス検出方法として、インターレース映像データＶｉｎ中の、例えば、図５（Ｂ）に示すような輝度データＹの値を画素値として、時系列上で隣接する画素の間の画素値（輝度データ値）の差分を、各画素ごとに検出して、差分が所定値となる画素の数を、フィールド画像全体に渡って積算し、間に１フィールド置いた同一フィールド種別の２つのフィールドの間で、両者の積算された画素数が近似するか否かを判別する。ただし、図５（Ｂ）は、輝度データＹを、水平同期信号ＨＳとともに、便宜的にアナログ波形で示したものである。
【００７５】
そして、間に１フィールド置いた同一フィールド種別の２つのフィールドの間で、両者の積算された画素数が近似するとき、その２つのフィールドは、上記のフィールドｆ３およびｆ５であると判断する。
【００７６】
図６に、この発明のシーケンス検出装置の一実施形態を示し、図４に示したシーケンス検出部３２として構成される場合である。
【００７７】
このシーケンス検出部３２では、インターレース映像データＶｉｎ中の輝度データＹが、画素クロックによって、ラッチ回路５１にラッチされ、さらに、ラッチ回路５１の出力値が、画素クロックによって、ラッチ回路５２にラッチされ、差分検出回路５３で、ラッチ回路５２の出力値とラッチ回路５１の出力値との差分の絶対値、すなわち隣接する画素の間の画素値（輝度データ値）の差分が検出される。
【００７８】
そして、一致検出回路５４で、その差分が基準値Ｄｒｅｆと比較されて、差分が基準値Ｄｒｅｆと等しいとき、一致検出回路５４からカウンタ５５に、カウントイネーブル信号が供給される。輝度データＹが８ビット長の場合、基準値Ｄｒｅｆは、例えば、１０ｈ〜ＥＢｈのうちの適切な値に選定される。
【００７９】
カウンタ５５は、カウントイネーブル信号が供給されることによって、画素クロックをカウントアップする。カウンタ５５の出力値は、垂直同期ラッチ信号によって、ラッチ回路５６にラッチされ、カウンタ５５は、垂直同期ラッチ信号の直後の垂直同期リセット信号によってリセットされる。
【００８０】
したがって、カウンタ５５からラッチ回路５６には、隣接する画素の間の画素値（輝度データ値）の差分が基準値Ｄｒｅｆと等しくなる画素の、１フィールド全体に渡る積算数がラッチされる。
【００８１】
ラッチ回路５６の出力値は、次の垂直同期ラッチ信号によって、次段のラッチ回路５７にラッチされ、さらに、ラッチ回路５７の出力値は、次の垂直同期ラッチ信号によって、次段のラッチ回路５８にラッチされる。
【００８２】
そして、比較回路５９で、１段目のラッチ回路５６の出力値Ｎａと３段目のラッチ回路５８の出力値Ｎｂとが比較されて、比較回路５９の出力として、出力値Ｎａと出力値Ｎｂが一定範囲内で近似するときには高レベルとなり、出力値Ｎａと出力値Ｎｂが近似しないときには低レベルとなる検出信号Ｓｄｔが得られる。
【００８３】
検出信号Ｓｄｔが高レベルとなるのは、ラッチ回路５６にラッチされている、あるフィールドｆｎの積算数Ｎａと、ラッチ回路５８にラッチされている、そのフィールドｆｎに対してフィールド前のフィールドｆ（ｎ−２）の積算数Ｎｂとが近似している場合であり、フィールドｆｎが上記のフィールドｆ５、フィールドｆ（ｎ−２）が上記のフィールドｆ３である場合である。
【００８４】
したがって、検出信号Ｓｄｔが高レベルとなった時からの時間差（フィールド数）、および上記のフィールド識別情報によって、２−３プルダウン後のインターレース映像データＶｉｎの、その時々のフィールドが、上記の一巡周期ＴｏおよびＴｅのいずれに属し、かつフィールドｆ１〜ｆ５のいずれであるかを、すなわち、一巡周期Ｔｏ内のフィールドｆ１から一巡周期Ｔｅ内のフィールドｆ５までの１０フィールド中のいずれであるかを、判別することができる。
【００８５】
しかも、このシーケンス検出方法によれば、図９および図１０に示した従来のシーケンス検出方法に比べて、シーケンス検出回路を著しく簡略化し、回路規模を著しく縮小することができる。
【００８６】
なお、画素値としては、色差データＣｂまたはＣｒ、または輝度データＹと色差データＣｂ，Ｃｒとを合わせたものを用いることもできる。
【００８７】
〔適応化プログレッシブ変換（適応化補間）の実施形態：図７〕
図１で上述したような、この発明のプログレッシブ変換方法では、さらに、画像の動きに応じて補間方法および補間係数を選択すると、より好適である。
【００８８】
図７は、この場合のプログレッシブ変換装置の一実施形態を示し、２−３プルダウン後のフィールド周波数が６０Ｈｚのインターレース映像データＶｉｎは、例えば、それぞれ８ビット長の輝度データＹおよび色差データＣｂ，Ｃｒに、水平同期信号ＨＳ、垂直同期信号ＶＳおよびフィールド識別情報ＦＩＤが付加されたものである。
【００８９】
このインターレース映像データＶｉｎは、フレームメモリ２１および２２に供給され、図４の実施形態と同様に、フレームメモリ２１および２２に、それぞれフレーム画像の映像データが書き込まれ、フレームメモリ２１および２２から、それぞれフレーム画像の映像データが読み出される。
【００９０】
また、フレームメモリ２１および２２からの画像データは、後述のように、３次元補間回路２５，２６，２７で、互いに異なる補間係数（合成比率）で合成され、マルチプレクサ２４で、フレームメモリ２１もしくは２２、または３次元補間回路２５，２６もしくは２７からの画像データが選択される。
【００９１】
一方、インターレース映像データＶｉｎ中の輝度データＹ、および上記の水平同期信号ＨＳ、垂直同期信号ＶＳおよびフィールド識別情報ＦＩＤが、シーケンス検出部３２に供給され、シーケンス検出部３２で、図５および図６に示して上述したように、インターレース映像データＶｉｎのシーケンスが検出される。
【００９２】
このシーケンス検出部３２の検出結果、および上記の水平同期信号ＨＳ、垂直同期信号ＶＳおよびフィールド識別情報ＦＩＤが、タイミングコントローラ３５に供給され、タイミングコントローラ３５から、内部制御信号が得られる。
【００９３】
この内部制御信号は、メモリコントローラ３３およびプログレッシブ用の同期信号発生回路３４に供給され、メモリコントローラ３３から、フレームメモリ２１および２２のアドレスおよび書き込み／読み出しの制御信号が得られるとともに、同期信号発生回路３４から、プログレッシブ同期信号ＳＹが得られる。
【００９４】
フレームメモリ２１および２２は、ある一つおきのフレーム期間では、フレームメモリ２１に展開されたフレーム画像が基準画像、フレームメモリ２２に展開されたフレーム画像が参照画像とされ、他の一つおきのフレーム期間では、フレームメモリ２２に展開されたフレーム画像が基準画像、フレームメモリ２１に展開されたフレーム画像が参照画像とされるように、それぞれの機能がフレーム単位でトグル状に変化する。時系列上では、基準画像が現在のフレームを示し、参照画像が過去のフレームを示す。
【００９５】
そして、フレームメモリ２１および２２から動き検出部５１に、それぞれ検出領域の画像データが読み出され、動き検出部５１において、その検出領域の画像データから、原プログレッシブ映像データの隣接するフレーム画像の間の動き（差分）が、動きベクトルとして検出される。
【００９６】
具体的に、検出領域の画像データとしては、画像の輪郭成分が抽出され、動き検出部５１では、その輪郭成分によるパターンマッチングによって、輪郭成分の移動方向および移動量が検出される。
【００９７】
この方法によれば、パターンマッチング時に処理するデータ量が少なく、したがって、動き検出部５１内のラインメモリのメモリ容量を少なくし、論理回路の規模を小さくすることができる。
【００９８】
検出対象の動きパターンとしては、パン、ズームイン、ズームアウト、回転などの全体移動、特定のオブジェクトの移動、シーンチェンジ、背景のざわめきなどがある。
【００９９】
動き検出部５１の検出結果の動きベクトルは、読み出しアドレスのオフセット情報として、メモリコントローラ３３に供給され、これによって、基準画像（現在のフレーム）の動オブジェクトの推定される移動先周辺の画像データ、および参照画像（過去のフレーム）の動オブジェクトの移動元周辺の画像データが、フレームメモリ２１および２２から読み出されて、正当性評価判定部５２に供給される。
【０１００】
また、動き検出部５１では、検出結果の動きベクトルから、画像の水平垂直方向の輪郭、輪郭交点、輪郭端点、輪郭変節点などが、画像特徴点の属性として検出され、正当性評価判定部５２に供給される。
【０１０１】
正当性評価判定部５２では、フレームメモリ２１または２２から読み出された基準画像（現在のフレーム）の動オブジェクトの推定される移動先周辺の画像データと、フレームメモリ２２または２１から読み出された参照画像（過去のフレーム）の動オブジェクトの移動元周辺の画像データとが比較されて、動き検出部５１の検出結果の正当性が評価（検証）され、両者の画像データが、ある範囲内で近似していれば、検出結果が正当と判定される。
【０１０２】
ただし、正当性の評価判定に当たっては、上記の特徴点の属性とともに、履歴テーブル５３に記録されている過去の判定結果が参照され、例えば、前の画素につき正当であると判定されていた場合には、当該画素についての動きベクトルが正当であると評価する範囲が広くされ、逆に前の画素につき正当ではないと判定されていた場合には、当該画素についての動きベクトルが正当であると評価する範囲が狭くされる。
【０１０３】
正当性の評価判定に当たっては、そのほか、過去の１〜数フレームにおける補間処理の有無および種別（３次元補間回路２５〜２７のいずれによる補間であるか）などが参照される。
【０１０４】
そのため、そのときの判定結果、判定結果による補間処理の有無および種別、および動きベクトルなどが、画素単位または任意サイズのブロック単位で、履歴テーブル５３に保存される。また、シーンチェンジなどによって画像の内容が大幅に変わった場合には、履歴テーブル５３の内容がクリアされる。
【０１０５】
そして、正当性評価判定部５２での判定結果に基づいて、３次元補間回路２５〜２７における補間係数が決定され、補間画像のデータとして３次元補間回路２５〜２７のいずれの出力データが選択されるかが決定される。
【０１０６】
具体的に、検出された動き量がゼロまたは補償を行う必要がない程度に微小である場合には、補間画像のデータとして、３次元補間回路２５の出力データが選択される。また、検出された動き量が補償を要する程度に大きい場合には、補間画像のデータとして、動き量に応じて３次元補間回路２６または２７の出力データが選択される。
【０１０７】
以上は、入力の映像データＶｉｎが、フィルムソースのフレーム周波数が２４Ｈｚの原プログレッシブ映像データから２−３プルダウンによってフィールド周波数が６０Ｈｚのインターレース映像データに変換されたものである場合であるが、入力の映像データＶｉｎが、フィルムソースではないビデオソースまたは静止画のフィールド周波数が６０Ｈｚのインターレース映像データである場合にも、動オブジェクトの動きを滑らかにするような補間処理を行うことができる。
【０１０８】
この場合、シーケンス検出部３２で図５（Ａ）に示したようなシーケンスが検出されなければ、入力の映像データＶｉｎは、フィルムソースではないビデオソースまたは静止画のインターレース映像データである。
【０１０９】
この場合、動き検出部５１では、隣接するフィールド種別が異なる２つのフィールドの間、または間に１フィールド置いた同一フィールド種別の２つのフィールドの間での動きが検出される。
【０１１０】
そして、その動き量がゼロまたは補償を行う必要がない程度に微小である場合には、動きが小さい場合の静的な補間方式として、３次元補間回路２５でフィールド間またはフレーム間の補間が実行されて、その補間出力の画像データが選択される。
【０１１１】
また、フィールド間で輪郭線の不連続が検出された場合（フィールド間の動き量が大きい場合）には、例えば、静的な補間方法として、３次元補間回路２６で可変フィルタ係数方式による斜め補間が実行されて、その補間出力の画像データが選択され、または動的な補間方法として、３次元補間回路２７で輪郭線移動による斜め補間が実行されて、その補間出力の画像データが選択される。
【０１１２】
【発明の効果】
上述したように、この発明のプログレッシブ変換方法によれば、動画の動きが滑らかに見えるようにプログレッシブ変換することができる。
【０１１３】
また、この発明のシーケンス検出方法によれば、小規模の回路によって確実に、原プログレッシブ映像データが変換されて得られたインターレース映像データのシーケンスを検出することができる。
【図面の簡単な説明】
【図１】この発明のプログレッシブ変換方法の一実施形態を示す図である。
【図２】図１のプログレッシブ変換方法による出力プログレッシブ映像データのフレーム順位に対する画像変化の様子を示す図である。
【図３】この発明のプログレッシブ変換方法を実行するシステムの一例としてのＤＶＤ再生装置を示す図である。
【図４】この発明のプログレッシブ変換装置の一実施形態を示す図である。
【図５】この発明のシーケンス検出方法の説明に供する図である。
【図６】この発明のシーケンス検出装置の一実施形態を示す図である。
【図７】この発明の適応化プログレッシブ変換装置の一実施形態を示す図である。
【図８】２−３プルダウンおよび逆変換の説明に供する図である。
【図９】従来のシーケンス検出方法の説明に供する図である。
【図１０】従来のシーケンス検出装置を示す図である。
【符号の説明】
主要部については図中に全て記述したので、ここでは省略する。
【図１】
2004015700.tif 000003
【図２】
2004015700.tif 000004
【図３】
2004015700.tif 000005
【図４】
2004015700.tif 000006
【図５】
2004015700.tif 000007
【図６】
2004015700.tif 000008
【図７】
2004015700.tif 000009
【図８】
2004015700.tif 000010
【図９】
2004015700.tif 000011
【図１０】
2004015700.tif 000012